(57)【特許請求の範囲】
【請求項１】
冷凍室上端後面の送風室に具備された送風ファンと、前記送風室と連通されて冷蔵室と冷凍室の間の隔壁前部に形成された前方冷気排出口と、前記前方冷気排出口と対角線方向の冷蔵室後面に具備された後方冷気排出口と、前記冷蔵室の下端に形成されて冷凍室と連通される冷気吸入口とを具備し、
前記各冷気排出口は縦に決まった間隔で多数が形成されて各収納棚の間に一つずつ配置されたことを特徴とする冷蔵庫の冷気循環装置。
【発明の詳細な説明】
【０００１】
【発明の属する技術分野】
本発明は冷蔵庫に関し、より詳細に説明すれば冷蔵室内で冷気の流動が均等に成り立つ冷蔵庫の冷気循環装置に関する。
【０００２】
【従来の技術】
冷蔵庫は食物などを冷凍させるか、冷蔵保管するために使われており、内部に冷凍室と冷蔵室で分離した収納空間を形成するケース及び前記ケースの一側に装着されて冷凍室と冷蔵室を開閉する冷凍冷蔵室ドアと、圧縮機、コンデンサー及び蒸発器など冷凍サイクルを形成して冷気を形成する器機等を含んで構成されている。
【０００３】
このような冷蔵庫では圧縮機によって低温低圧の気体冷媒が高温高圧に圧縮されて、圧縮された高温高圧の気体冷媒がコンデンサーを通る過程で冷却凝縮されて高圧の液状に転換されて、高圧の液体状態になった冷媒は毛細管をパスしながらその温度と圧力が低くなった後、続いて蒸発器で低温低圧の気体状態に変わりながら周りから熱を奪ってその周りの空気を冷却させるようになっている。蒸発器を通って冷却した空気は蒸発器の一側に位置された送風ファンによって冷凍、冷蔵室で流入循環されることで冷凍室及び冷蔵室の温度が低くなるようになる。一方、冷蔵庫には蒸発器周りで形成された冷気の循環のための冷気循環装置が具備されているが、前記冷気循環装置は冷蔵庫の種類によって多様な形態で構成される。
【０００４】
これらの中で冷凍室と冷蔵室が左右に水平配置されたサイドバイサイド（ｓｉｄｅ  ｂｙ  ｓｉｄｅ）タイプ冷蔵庫に適用された冷気循環装置は図４に示すように、冷凍室１０上端後面の送風室１０１に具備された送風ファン２０と、冷蔵室１２の上端に具備されて送風室１０１と連通されるダンパ２２を含んで構成されている。
ここで、前記送風室１０１は冷凍室１０後方の蒸発器室上端に位置されているし、その一側に冷凍室１０で冷気を排出するための冷気排出口１０ａが形成された構造で成り立っているし、ダンパ２２は前面に二つ、下面に一つの冷気排出口２２ａ（図６参照）がそれぞれ形成された構造で成り立っている。
【０００５】
このような冷気循環装置によれば図５と図６と同じく蒸発器周りで形成された冷気（図５及び図６の点線矢表示）が送風ファン２０によって冷凍室１０及びダンパ２２に分散するが、冷凍室１０で排出された冷気は冷凍室１０内部を循環した後冷凍室１０底面の冷気吸入口を通じて再び蒸発器室に向かい、ダンパ２２に流入された冷気は側面と底面の冷気排出口２２ａを通じて冷蔵室１２に排出される。
【０００６】
ダンパ２２を通じて冷蔵室１２に排出された冷気は冷蔵室１２内部を通って冷凍室１０と接続された冷蔵室１２下端の冷気吸入口１２ａを通じて冷凍室１０に流入されることで送風ファン２０によって蒸発器を経る循環作動を繰り返し的に進行するようになる。
上述したような従来技術によれば比較的単純な構造のダンパ２２を通じて冷凍室１０の冷気を冷蔵室１２に移送することができるため冷蔵庫の構造を単純化することができるという特徴がある。
【０００７】
【発明が解決しようとする課題】
しかし、このような従来技術によればダンパ２２の位置によって（冷蔵室の上端に位置される）冷蔵室１２の上端から冷気が集中排出されるため冷蔵室１２の上端は温度が低く、下端は相対的に温度が高い冷蔵室１２内の温度偏差現象が深くなって、上側棚に保存された食物は過冷される一方、下側棚に保存された食物はまともに冷却されないなど、冷蔵室１２の冷却がまともに成り立たないという問題点がある。
【０００８】
【課題を解決するための手段】
上記のような問題点を解決するための本発明による冷蔵庫の冷気循環システムは、冷凍室上端後面の送風室に具備された送風ファンと、前記送風室と連通されて冷蔵室と冷凍室の間の隔壁前部に形成された前方冷気排出口と、前記前方冷気排出口と対角線方向の冷蔵室後面に具備された後方冷気排出口と、前記冷蔵室の下端に形成されて冷凍室と連通される冷気吸入口とを具備し、前記各冷気排出口は縦に決まった間隔で多数が形成されて各収納棚の間に一つずつ配置されたことを特徴とする。
【００１０】
【発明の実施の形態】
以下、本発明の実施形態に対して添付された図１から図３までを参照にして詳細に説明して、本発明の内容の中で従来構成と等しい部分に対しては等しい符号を付与する。
本発明の実施形態による冷蔵庫の冷気循環装置は図１に示されたように、冷凍室１０上端後面の送風室１０１に具備された送風ファン２０と、前記送風室１０１と連通されて冷凍室１０と冷蔵室１２の間の隔壁１３前部に形成された前方冷気排出口１２１と、前記前方冷気排出口１２１と対角線方向の冷蔵室１２後面に具備された後方冷気排出口１２２と、冷蔵室１２の下端に形成されて冷凍室１０と連通される冷気吸入口１２ａ（図２参照）と、冷蔵室ドア１４の開放の時に冷気の流出を防止することができる冷気窓卦けを形成する冷気窓卦け形成手段を含んで構成されている。
【００１１】
ここで、図２に示されたように、前記各冷気排出口１２１、１２２は縦長方向に決まった間隔を置いて多数が具備され、各収納棚（Ｓ）の間に一つずつ配置される。
そして、冷気窓卦け形成手段は送風室１０１に具備されて後方冷気排出口１２２に向かう冷気を選択的に遮断することで前方冷気排出口１２１でのみ冷気が排出されるようにするエアバルブ３０（図１参照）と、前記エアバルブ３０の作動のためのアクチュエータと、前記冷蔵室ドア１４と連係されて冷蔵室ドア１４の開放時前記アクチュエータを作動させる制御スィッチとで成り立つ。
【００１２】
上述したところのような本発明の実施形態による冷気循環装置の作用を次に説明する。
先に、冷蔵室ドア１４は閉まった状態では送風室１０１から伝逹した冷気が前方冷気排出口１２１と後方冷気排出口１２２を通じて同時に排出されて、両方向の冷気排出口１２１、１２２から同時に排出された冷気が冷蔵室１２中間で渦流を形成するようになる。（図１参照）
【００１３】
また、下上に長く配置されて各棚の間に配置された両方向冷気排出口１２１、１２２の構造によって排出される冷気が下方や上方へ偏重されないで各棚（Ｓ）の間で排出されて冷蔵室１２の各部位で冷気が均等に分散して冷蔵室１２の特定部分に保存された食物が過冷されるなどの問題が発生しない。（図２参照）
冷蔵室１２で排出された冷気は下端の冷気吸入口１２ａを通じて再び冷凍室１０に流入されることで循環作用が続くようになる。
【００１４】
そして、図３に示されたように冷蔵室１２に保存された食物を取り出すなどの理由で冷蔵室ドア１４を開く場合には前記冷蔵室ドア１４と連係された制御スィッチによってアクチュエータが作動することでエアバルブ３０は後方冷気排出口１２２につながる流路を遮断するようになる。
このように後方冷気排出口１２２につながる流路が遮断されれば前方冷気排出口１２１でのみ冷気が強く排出されて冷蔵室１２前面を横切るいわゆる冷気窓卦けを形成するようになるのに、冷気窓卦けによれば冷蔵室１２の内外部が強い空気流れによって遮られるので冷蔵室１２の冷気が流出され、外気が流入されて冷蔵室１２の温度が上昇される現象が效果的に防止される。
【００１５】
【発明の効果】
本発明による冷蔵庫の冷気循環装置によれば冷蔵室に流入された冷気が渦流を形成して冷気が冷蔵室内の各部位で均一に分散し、また冷蔵室ドア開放時には冷蔵室前面に冷気窓卦けが形成されて冷気の流出が防止されるなど冷蔵室の冷却が效果的に成り立つため食品をより新鮮に保存することができるという利点がある。
【図面の簡単な説明】
【図１】本発明の実施形態による冷蔵庫の冷気循環装置構成及びこれによる冷気循環状態を現わした平面図である。
【図２】本発明の実施形態による冷蔵庫の冷気循環装置及びこれによる冷気循環状態を現わした正面図である。
【図３】本発明の実施形態で冷蔵室ドア開放の時の冷気循環状態を現わした平面図である。
【図４】一般的なサイドバイサイド冷蔵庫の構造を現わした部分切開斜視図である。
【図５】従来技術による冷蔵庫の冷気循環装置を現わした平面図である。
【図６】従来技術による冷蔵庫の冷気循環装置を現わした正面図である。
【符号の説明】
１０…冷凍室
１２…冷蔵室
１２ａ…冷気吸入口
１４…冷蔵室ドア
２０…送風ファン
２２…ダンパ
２２ａ…冷気排出口
【図１】
0003588345.tif 000002
【図２】
0003588345.tif 000003
【図３】
0003588345.tif 000004
【図４】
0003588345.tif 000005
【図５】
0003588345.tif 000006
【図６】
0003588345.tif 000007